【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
バッテリパックに対して充電を行う充電装置において、
前記充電装置周辺の温度を示す充電装置周辺温度を検出する充電装置温度検出手段と、
前記バッテリパックから取得したバッテリパック周辺温度及び前記充電装置周辺温度に基づいて、前記バッテリパックに対する充電を制御する制御手段とを含み、
前記制御手段は、
前記充電装置周辺温度が第１の値より高い時に、前記バッテリパックに対する充電を中止し、
前記充電装置周辺温度が前記第１の値より低く、前記バッテリパック周辺温度が第２の値より高く第３の値より低い第１の範囲内の時に、第１の充電モードで前記バッテリパックに対する充電を行い、
前記充電装置周辺温度が前記第１の値より低く、前記バッテリパック周辺温度が前記第１の範囲外の時に、前記第１の充電モードより低電流である第２の充電モードで前記バッテリパックに対する充電を行う
充電装置。
【請求項２】
前記制御手段は、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御する
請求項１記載の充電装置。
【請求項３】
前記第１の値と前記第３の値は同じ値である
請求項１記載の充電装置。
【請求項４】
バッテリパックに対して充電を行う充電方法において、
前記充電装置周辺の温度を示す充電装置周辺温度を検出する検出ステップと、
前記バッテリパックから取得したバッテリパック周辺温度及び前記充電装置周辺温度に基づいて、前記バッテリパックに対する充電を制御する制御ステップとを含み、
前記制御ステップでは、
前記充電装置周辺温度が第１の値より高い時に、前記バッテリパックに対する充電を中止し、
前記充電装置周辺温度が前記第１の値より低く、前記バッテリパック周辺温度が第２の値より高く第３の値より低い第１の範囲内の時に、第１の充電モードで前記バッテリパックに対する充電を行い、
前記充電装置周辺温度が前記第１の値より低く、前記バッテリパック周辺温度が前記第１の範囲外の時に、前記第１の充電モードより低電流である第２の充電モードで前記バッテリパックに対する充電を行う
充電方法。
【請求項５】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御する
請求項４記載の充電方法。
【請求項６】
前記第１の値と前記第３の値は同じ値である
請求項４記載の充電方法。
【請求項７】
バッテリパックに対して充電を行う充電装置を制御するプログラムが格納されているプログラム格納媒体において、
前記充電装置周辺の温度を示す充電装置周辺温度を検出する検出ステップと、
前記バッテリパックから取得したバッテリパック周辺温度及び前記充電装置周辺温度に基づいて、前記バッテリパックに対する充電を制御する制御ステップとを含み、
前記制御ステップでは、
前記充電装置周辺温度が第１の値より高い時に、前記バッテリパックに対する充電を中止し、
前記充電装置周辺温度が前記第１の値より低く、前記バッテリパック周辺温度が第２の値より高く第３の値より低い第１の範囲内の時に、第１の充電モードで前記バッテリパックに対する充電を行い、
前記充電装置周辺温度が前記第１の値より低く、前記バッテリパック周辺温度が前記第１の範囲外の時に、前記第１の充電モードより低電流である第２の充電モードで前記バッテリパックに対する充電を行う
ことを特徴とするコンピュータが読み取り可能なプログラムが格納されているプログラム格納媒体。
【請求項８】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御する
請求項７記載のプログラム格納媒体。
【請求項９】
前記第１の値と前記第３の値は同じ値である
請求項７記載のプログラム格納媒体。
【請求項１０】
バッテリパックに対して充電を行う充電装置を制御するコンピュータに、
前記充電装置周辺の温度を示す充電装置周辺温度を検出する検出ステップと、
前記バッテリパックから取得したバッテリパック周辺温度及び前記充電装置周辺温度に基づいて、前記バッテリパックに対する充電を制御する制御ステップとを含む処理を実行させ、
前記制御ステップでは、
前記充電装置周辺温度が第１の値より高い時に、前記バッテリパックに対する充電を中止し、
前記充電装置周辺温度が前記第１の値より低く、前記バッテリパック周辺温度が第２の値より高く第３の値より低い第１の範囲内の時に、第１の充電モードで前記バッテリパックに対する充電を行い、
前記充電装置周辺温度が前記第１の値より低く、前記バッテリパック周辺温度が前記第１の範囲外の時に、前記第１の充電モードより低電流である第２の充電モードで前記バッテリパックに対する充電を行う
プログラム。
【請求項１１】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御する
請求項１０記載のプログラム。
【請求項１２】
前記第１の値と前記第３の値は同じ値である
請求項１０記載のプログラム。
【手続補正２】
【補正対象書類名】明細書
【補正対象項目名】発明の名称
【補正方法】変更
【補正の内容】
【発明の名称】充電装置および方法、プログラム格納媒体、並びにプログラム
【手続補正３】
【補正対象書類名】明細書
【補正対象項目名】０００１
【補正方法】変更
【補正の内容】
【０００１】
本発明は、充電装置および方法、プログラム格納媒体、並びにプログラムに関し、特に、電力供給方式の異なる充放電装置に対して、それぞれを識別し、対応する方式で電力を供給できるようにした充電装置および方法、プログラム格納媒体、並びにプログラムに関する。
【手続補正４】
【補正対象書類名】明細書
【補正対象項目名】０００２
【補正方法】変更
【補正の内容】
【０００２】
ビデオカメラなどに使用されるバッテリパックに代表される充放電装置に、充電器などの電力供給装置より電力を供給して蓄えさせる、いわゆる充電技術が一般に普及しつつある（特許文献１乃至３参照）。
【手続補正５】
【補正対象書類名】明細書
【補正対象項目名】０００４
【補正方法】変更
【補正の内容】
【０００４】
しかしながら、近年、この課題を解消すべく、バッテリパックと充電器は技術的に進歩し、充電器からの充電電流を、より大電流にすることで、バッテリパックに充電させることが可能となった。結果として、バッテリパックの充電容量を大きくしても、充電に要する時間を短縮すること（高速充電）が可能となってきている。
【特許文献１】特開平６−１０４０１７号公報
【特許文献２】特開平６−１０５４７６号公報
【特許文献３】特開平６−０２０６６５号公報
【手続補正６】
【補正対象書類名】明細書
【補正対象項目名】０００９
【補正方法】変更
【補正の内容】
【０００９】
本発明の一側面の充電装置は、バッテリパックに対して充電を行う充電装置であって、前記充電装置周辺の温度を示す充電装置周辺温度を検出する充電装置温度検出手段と、前記バッテリパックから取得したバッテリパック周辺温度及び前記充電装置周辺温度に基づいて、前記バッテリパックに対する充電を制御する制御手段とを含み、前記制御手段は、前記充電装置周辺温度が第１の値より高い時に、前記バッテリパックに対する充電を中止し、前記充電装置周辺温度が前記第１の値より低く、前記バッテリパック周辺温度が第２の値より高く第３の値より低い第１の範囲内の時に、第１の充電モードで前記バッテリパックに対する充電を行い、前記充電装置周辺温度が前記第１の値より低く、前記バッテリパック周辺温度が前記第１の範囲外の時に、前記第１の充電モードより低電流である第２の充電モードで前記バッテリパックに対する充電を行う。
【手続補正７】
【補正対象書類名】明細書
【補正対象項目名】００１０
【補正方法】変更
【補正の内容】
【００１０】
前記制御手段には、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御させるようにすることができる。
【手続補正８】
【補正対象書類名】明細書
【補正対象項目名】００１１
【補正方法】変更
【補正の内容】
【００１１】
前記第１の値と前記第３の値は同じ値とすることができる。
【手続補正９】
【補正対象書類名】明細書
【補正対象項目名】００１２
【補正方法】変更
【補正の内容】
【００１２】
本発明の一側面の充電方法は、バッテリパックに対して充電を行う充電方法であって、前記充電装置周辺の温度を示す充電装置周辺温度を検出する検出ステップと、前記バッテリパックから取得したバッテリパック周辺温度及び前記充電装置周辺温度に基づいて、前記バッテリパックに対する充電を制御する制御ステップとを含み、前記制御ステップでは、前記充電装置周辺温度が第１の値より高い時に、前記バッテリパックに対する充電を中止し、前記充電装置周辺温度が前記第１の値より低く、前記バッテリパック周辺温度が第２の値より高く第３の値より低い第１の範囲内の時に、第１の充電モードで前記バッテリパックに対する充電を行い、前記充電装置周辺温度が前記第１の値より低く、前記バッテリパック周辺温度が前記第１の範囲外の時に、前記第１の充電モードより低電流である第２の充電モードで前記バッテリパックに対する充電を行う。
【手続補正１０】
【補正対象書類名】明細書
【補正対象項目名】００１３
【補正方法】変更
【補正の内容】
【００１３】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御させるようにすることができる。
【手続補正１１】
【補正対象書類名】明細書
【補正対象項目名】００１４
【補正方法】変更
【補正の内容】
【００１４】
前記第１の値と前記第３の値は同じ値とすることができる。
【手続補正１２】
【補正対象書類名】明細書
【補正対象項目名】００１５
【補正方法】変更
【補正の内容】
【００１５】
本発明の一側面のプログラム格納媒体は、バッテリパックに対して充電を行う充電装置を制御するプログラムが格納されているプログラム格納媒体であって、前記充電装置周辺の温度を示す充電装置周辺温度を検出する検出ステップと、前記バッテリパックから取得したバッテリパック周辺温度及び前記充電装置周辺温度に基づいて、前記バッテリパックに対する充電を制御する制御ステップとを含み、前記制御ステップでは、前記充電装置周辺温度が第１の値より高い時に、前記バッテリパックに対する充電を中止し、前記充電装置周辺温度が前記第１の値より低く、前記バッテリパック周辺温度が第２の値より高く第３の値より低い第１の範囲内の時に、第１の充電モードで前記バッテリパックに対する充電を行い、前記充電装置周辺温度が前記第１の値より低く、前記バッテリパック周辺温度が前記第１の範囲外の時に、前記第１の充電モードより低電流である第２の充電モードで前記バッテリパックに対する充電を行うことを特徴とするコンピュータが読み取り可能なプログラムを格納している。
【手続補正１３】
【補正対象書類名】明細書
【補正対象項目名】００１６
【補正方法】変更
【補正の内容】
【００１６】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御させるようにすることができる。
【手続補正１４】
【補正対象書類名】明細書
【補正対象項目名】００１７
【補正方法】変更
【補正の内容】
【００１７】
前記第１の値と前記第３の値は同じ値とすることができる。
【手続補正１５】
【補正対象書類名】明細書
【補正対象項目名】００１８
【補正方法】変更
【補正の内容】
【００１８】
本発明の一側面のプログラムは、バッテリパックに対して充電を行う充電装置を制御するコンピュータに、前記充電装置周辺の温度を示す充電装置周辺温度を検出する検出ステップと、前記バッテリパックから取得したバッテリパック周辺温度及び前記充電装置周辺温度に基づいて、前記バッテリパックに対する充電を制御する制御ステップとを含む処理を実行させ、前記制御ステップでは、前記充電装置周辺温度が第１の値より高い時に、前記バッテリパックに対する充電を中止し、前記充電装置周辺温度が前記第１の値より低く、前記バッテリパック周辺温度が第２の値より高く第３の値より低い第１の範囲内の時に、第１の充電モードで前記バッテリパックに対する充電を行い、前記充電装置周辺温度が前記第１の値より低く、前記バッテリパック周辺温度が前記第１の範囲外の時に、前記第１の充電モードより低電流である第２の充電モードで前記バッテリパックに対する充電を行う。
【手続補正１６】
【補正対象書類名】明細書
【補正対象項目名】００１９
【補正方法】変更
【補正の内容】
【００１９】
前記制御ステップでは、前記充電装置周辺温度が前記第１の値より低く、前記バッテリパック周辺温度が前記第１の範囲外の時に、前記バッテリパック周辺温度が前記第１の範囲より低いか前記第１の範囲より高いかを表示するように制御させるようにすることができる。
【手続補正１７】
【補正対象書類名】明細書
【補正対象項目名】００２０
【補正方法】変更
【補正の内容】
【００２０】
前記第１の値と前記第３の値は同じ値とすることができる。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】変更
【補正の内容】
【００５７】
本発明の一側面の充電装置および方法、並びにプログラムにおいては、前記充電装置周辺の温度を示す充電装置周辺温度が検出され、前記バッテリパックから取得したバッテリパック周辺温度及び前記充電装置周辺温度に基づいて、前記バッテリパックに対する充電が制御され、前記充電装置周辺温度が第１の値より高い時に、前記バッテリパックに対する充電が中止され、前記充電装置周辺温度が前記第１の値より低く、前記バッテリパック周辺温度が第２の値より高く第３の値より低い第１の範囲内の時に、第１の充電モードで前記バッテリパックに対する充電が行われ、前記充電装置周辺温度が前記第１の値より低く、前記バッテリパック周辺温度が前記第１の範囲外の時に、前記第１の充電モードより低電流である第２の充電モードで前記バッテリパックに対する充電が行われる。
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】００６４
【補正方法】削除
【補正の内容】
【手続補正６２】
【補正対象書類名】明細書
【補正対象項目名】００６５
【補正方法】削除
【補正の内容】
【手続補正６３】
【補正対象書類名】明細書
【補正対象項目名】００６６
【補正方法】変更
【補正の内容】
【００６６】
本発明の一側面の充電装置および方法、並びにプログラムによれば、前記充電装置周辺の温度を示す充電装置周辺温度を検出し、前記バッテリパックから取得したバッテリパック周辺温度及び前記充電装置周辺温度に基づいて、前記バッテリパックに対する充電を制御し、前記充電装置周辺温度が第１の値より高い時に、前記バッテリパックに対する充電を中止そ、前記充電装置周辺温度が前記第１の値より低く、前記バッテリパック周辺温度が第２の値より高く第３の値より低い第１の範囲内の時に、第１の充電モードで前記バッテリパックに対する充電を行い、前記充電装置周辺温度が前記第１の値より低く、前記バッテリパック周辺温度が前記第１の範囲外の時に、前記第１の充電モードより低電流である第２の充電モードで前記バッテリパックに対する充電を行うようにした。
【手続補正６４】
【補正対象書類名】明細書
【補正対象項目名】００６７
【補正方法】削除
【補正の内容】
【手続補正６５】
【補正対象書類名】明細書
【補正対象項目名】００６８
【補正方法】削除
【補正の内容】
【手続補正６６】
【補正対象書類名】明細書
【補正対象項目名】００６９
【補正方法】削除
【補正の内容】
【手続補正６７】
【補正対象書類名】明細書
【補正対象項目名】００７０
【補正方法】削除
【補正の内容】
【手続補正６８】
【補正対象書類名】明細書
【補正対象項目名】００７１
【補正方法】削除
【補正の内容】
【手続補正６９】
【補正対象書類名】明細書
【補正対象項目名】００７２
【補正方法】削除
【補正の内容】
【手続補正７０】
【補正対象書類名】明細書
【補正対象項目名】００７３
【補正方法】削除
【補正の内容】
【手続補正７１】
【補正対象書類名】明細書
【補正対象項目名】００７４
【補正方法】削除
【補正の内容】
【手続補正７２】
【補正対象書類名】明細書
【補正対象項目名】００７５
【補正方法】変更
【補正の内容】
【００７５】
このため、バッテリの温度が所定範囲外の時も低電流であるが充電することが可能となる。また、充電装置の温度が高すぎるときは、低電流での充電でも安全性が低くなるため、充電を止めることで安全性を確保することが可能となる。
結果として、充放電装置の種別や温度に基づいて、適正な電力供給モードで充放電装置を充電することが可能になり、充放電装置を充電する際に生じる過電流による充電容量の低下や破損を抑制することが可能となる。